(57)【要約】【課題】回転自在に写真ホルダを取り付ける。【解決手段】プリンタ本体１２の前面に開閉自在に取り付けられ、開状態ではプリント機構で印刷された印刷媒体を受け取るトレイとして機能し、閉状態ではプリンタ本体１２の前面を覆う蓋として機能する前面扉１４の外表面に設けられた軸穴７６に写真ホルダ６０のホルダ軸６６が取り付けられている。こうすることにより、写真ホルダ６０を縦長に保持する縦位置又は横長に保持する横位置に回転させることが可能となる。また、前面扉１４の外表面に気に入った写真を飾ることが可能となるため、プリンタ本体１２の前面の殺風景な印象を払拭し、インテリアとしての機能を持たせることができる。【選択図】図８
2008173791.tif 000002
【特許請求の範囲】
【請求項１】
プリント機構を収容するプリンタ本体と、
前記プリンタ本体の前面に開閉自在に取り付けられ、開状態では前記プリント機構で印刷された印刷媒体を受け取るトレイとして機能し、閉状態では前記プリンタ本体の前面を覆う蓋として機能し、該蓋として機能したときの外表面に軸穴が設けられた前面扉と、
前記軸穴に回転自在に取り付けられた軸を有する写真ホルダと、
を備えた写真ホルダ付きプリンタ。
【請求項２】
前記軸は、前記軸穴に挿脱可能に取り付けられる、
請求項１に記載の写真ホルダ付きプリンタ。
【請求項３】
請求項１又は２に記載のプリンタであって、
前記軸穴に前記軸を挿入した状態で前記写真ホルダを前記前面扉に対して回転したときに、前記写真ホルダを縦長に保持する縦位置及び横長に保持する横位置のいずれかに選択的に固定する位置決め機構
を備えた写真ホルダ付きプリンタ。
【請求項４】
前記位置決め機構は、前記写真ホルダの前記軸の軸端外周面及び前記前面扉の前記軸穴の内周面のいずれか一方に設けられた凹部と、前記軸端外周面及び前記軸穴の内周面のもう一方に設けられ前記凹部に入り込むことが可能な凸部とを、前記写真ホルダが前記縦位置に位置しているときと前記写真ホルダが前記横位置に位置しているときに互いに嵌り合うようにそれぞれ一以上備えている、
請求項３に記載の写真ホルダ付きプリンタ。
【請求項５】
前記凸部は、前記軸穴の内周面に設けられた窪み部に挿入された弾性部材により半径内方向に付勢されており、前記写真ホルダの前記軸端外周面に設けられた凹部以外の箇所に面しているときには前記弾性部材の付勢に抗して前記窪み部に没入され、前記写真ホルダが前記縦位置又は前記横位置に位置しているときに前記凹部に面し前記弾性部材の付勢により前記窪み部から突出して前記写真ホルダを固定する、
請求項４に記載の写真ホルダ付きプリンタ。
【請求項６】
プリント機構を収容するプリンタ本体と、前記プリンタ本体の前面に開閉自在に取り付けられ、開状態では前記プリント機構で印刷された印刷媒体を受け取るトレイとして機能し、閉状態では前記プリンタ本体の前面を覆う蓋として機能する前面扉とを備えたプリンタに装着する写真ホルダであって、
前記前面扉の外表面に設けられた軸穴に回転自在に取り付け可能な軸を有する写真ホルダ。
【発明の詳細な説明】
【技術分野】
【０００１】
本発明は、写真ホルダ付きプリンタ及びその写真ホルダに関する。
【背景技術】
【０００２】
従来より、プリンタ本体の外側面に写真ホルダを取り付けた写真ホルダ付きプリンタが知られている。例えば、特許文献１に記載のテーププリンタでは、プリンタ本体の外側面に複数の嵌合部が形成され、該嵌合部に着脱自在に写真ホルダが取り付けられている。
【特許文献１】特開２００３−３９７７４号公報
【発明の開示】
【発明が解決しようとする課題】
【０００３】
しかしながら、特許文献１に記載の写真ホルダは複数の嵌合部により定められた向きで取り付けられ回転させることができないので、縦撮りの写真又は横撮りの写真のいずれかにしか対応できないという問題があった。
【０００４】
本発明の写真ホルダ付きプリンタ及びその写真ホルダは、このような課題に鑑みなされたものであり、縦撮り又は横撮りのいずれの写真にも対応可能とすることを目的の一つとする。また、閉状態ではプリンタ本体の前面を覆う蓋として機能するのみの殺風景な前面扉の外表面に、インテリアとしての機能を持たせることを目的の一つとする。
【課題を解決するための手段】
【０００５】
本発明は、上述の目的の少なくとも１つを達成するために以下の手段を採った。
【０００６】
本発明のプリンタは、
プリント機構を収容するプリンタ本体と、
前記プリンタ本体の前面に開閉自在に取り付けられ、開状態では前記プリント機構で印刷された印刷媒体を受け取るトレイとして機能し、閉状態では前記プリンタ本体の前面を覆う蓋として機能し、該蓋として機能したときの外表面に軸穴が設けられた前面扉と、
前記軸穴に回転自在に取り付けられた軸を有する写真ホルダと、
を備えたものである。
【０００７】
このプリンタには、プリンタ本体の前面に前面扉が開閉自在に取り付けられている。前面扉は開状態ではプリント機構で印刷された印刷媒体を受け取るトレイとして機能し、閉状態ではプリンタ本体の前面を覆う蓋として機能する。そして、この前面扉の外表面の軸穴に回転自在に取り付けられた軸を有する写真ホルダが取り付けられている。こうすることにより、写真ホルダを縦長に保持する縦位置又は横長に保持する横位置に回転させることが可能となる。したがって、ユーザは縦撮りの写真又は横撮りの写真のいずれであっても飾ることができる。また、前面扉の外表面に気に入った写真を飾ることで、プリンタ本体前面の殺風景な印象を払拭し、インテリアとしての機能を持たせることができる。
【０００８】
本発明のプリンタにおいて、前記軸は、前記軸穴に挿脱可能に取り付けられるものとしてもよい。こうすれば、ユーザが写真を飾らず、写真ホルダを不要と感じたときに取り外すことができる。
【０００９】
本発明のプリンタにおいて、前記軸穴に前記軸を挿入した状態で前記写真ホルダを前記前面扉に対して回転したときに、前記写真ホルダを縦長に保持する縦位置及び横長に保持する横位置のいずれかに選択的に固定する位置決め機構を備えるものとしてもよい。こうすれば、ユーザは縦位置又は横位置の微調整をすることなく、縦撮りの写真又は横撮りの写真を飾ることができる。
【００１０】
本発明のプリンタにおいて、前記位置決め機構は、前記写真ホルダの前記軸の軸端外周面及び前記前面扉の前記軸穴の内周面のいずれか一方に設けられた凹部と、前記軸端外周面及び前記軸穴の内周面のもう一方に設けられ前記凹部に入り込むことが可能な凸部とを、前記写真ホルダが前記縦位置に位置しているときと前記写真ホルダが前記横位置に位置しているときに互いに嵌り合うようにそれぞれ一以上備えているものとしてもよい。こうすれば、ユーザは写真ホルダが縦位置又は横位置に位置したときに凸部が凹部に入り込む感触を感じることができる。
【００１１】
本発明のプリンタにおいて、前記凸部は、前記軸穴の内周面に設けられた窪み部に挿入された弾性部材により半径内方向に付勢されており、前記写真ホルダの前記軸端外周面に設けられた凹部以外の箇所に面しているときには前記弾性部材の付勢に抗して前記窪み部に没入され、前記写真ホルダが前記縦位置又は前記横位置に位置しているときに前記凹部に面し前記弾性部材の付勢により前記窪み部から突出して前記写真ホルダを固定するものとしてもよい。こうすれば、凸部が凹部に弾性部材の付勢により入り込んでいるので、より確実な固定が可能となる。したがって、前面扉を繰り返し開閉した際にも写真ホルダの位置ずれを防ぐことができる。
【００１２】
本発明の写真ホルダは、プリント機構を収容するプリンタ本体と、前記プリンタ本体の前面に開閉自在に取り付けられ、開状態では前記プリント機構で印刷された印刷媒体を受け取るトレイとして機能し、閉状態では前記プリンタ本体の前面を覆う蓋として機能する前面扉とを備えたプリンタに装着される写真ホルダであって、前記前面扉の外表面に設けられた軸穴に回転自在に取り付け可能な軸を有するものである。こうすることにより、写真ホルダを縦長に保持する縦位置又は横長に保持する横位置に回転させることが可能となる。したがって、ユーザは縦撮りの写真又は横撮りの写真のいずれであっても飾ることができる。
【発明を実施するための最良の形態】
【００１３】
次に、本発明の実施の形態を図面に基づいて説明する。図１は、本発明の一実施形態であるフォトプリンタ１０の前面扉１４とカバー３０を開けた状態の斜視図、図２は、フォトプリンタ１０の前面扉１４とカバー３０を閉めた状態の斜視図、図３はフォトプリンタ１０の操作パネル２０を表す説明図、図４はフォトプリンタ１０のプリント機構５０を表す斜視図である。
【００１４】
本実施形態のフォトプリンタ１０は、プリンタ本体１２の上面に設けられた操作パネル２０と、プリンタ本体１２の上面の奥の一辺に開閉自在に取り付けられ閉状態で操作パネル２０を覆うカバー３０と、プリンタ本体１２に内蔵されたプリント機構５０と、プリンタ本体１２の前面に開閉自在に取り付けられた前面扉１４と、前面扉１４の外表面に回転自在に取り付けられている写真ホルダ６０と、を備えている（図１参照）。
【００１５】
操作パネル２０は、文字や図形、記号などを表示するディスプレイ２２と、このディスプレイ２２の周囲に配置されたボタン群２４とを備えている（図３参照）。ボタン群２４は、図３に示すように、電源のオンオフを行うための電源ボタン２４ａ、印刷対象の写真を選択したり用紙サイズを選択したりするメインメニュー画面（図３参照）を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄなどで構成されている。
【００１６】
カバー３０は、プリンタ本体１２の上面を覆うことのできる大きさに成形された樹脂板であり、開状態では操作パネル２０の表面を外部に露出し（図１参照）、閉状態では操作パネル２０を覆う（図２参照）。カバー３０は、ディスプレイ２２と同じ大きさの窓３２を備えており、カバー３０が閉状態のときにはユーザはこの窓３２を介してディスプレイ２２の表示内容を確認することができる。更に、カバー３０は、開状態のときに操作パネル２０に対して斜め後方に傾斜した状態で保持されるようになっている。このため、開状態のカバー３０は、用紙Ｐをプリント機構５０へ供給するためのトレイとして利用可能である。また、操作パネル２０の奥には、プリント機構５０の給紙口５８が設けられている。
【００１７】
プリント機構５０は、プリンタ本体１２の内部に配置されている。このプリント機構５０は、左右方向にループ状に架け渡されたタイミングベルト５１により駆動されガイド５２に沿って左右に往復動するキャリッジ５３と、このキャリッジ５３に搭載されシアン・マゼンタ・イエロー・ブラック等の各色のインクを個別に収容したインクカートリッジ５４と、各インクカートリッジ５４から供給された各インクに圧力をかけてノズルから用紙Ｐに向かってインクを吐出する印刷ヘッド５５と、操作パネル２０に形成された給紙口５８から供給された用紙Ｐを排紙トレイである開状態の前面扉１４へ送り出す搬送ローラ５６とを備えている（図４参照）。印刷ヘッド５５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。キャリッジ５３は、用紙Ｐの左右端や上下端を検出する紙端検出センサ５７を備えている。この紙端検出センサ５７は、給紙口５８にセットされた用紙Ｐに対して印刷前にキャリッジ５３が左右方向に走査したときにその用紙Ｐの左右端を検出して用紙幅の認識を可能にしたり、印刷途中で用紙Ｐの後端を検出して用紙長さの認識を可能にしたりする。
【００１８】
前面扉１４は、プリンタ本体１２の前面に開閉自在に取り付けられている。この前面扉１４は、開状態のときには、プリンタ本体１２の前面から排紙される用紙Ｐを受けるための排紙トレイとして機能すると共に、プリンタ本体１２の前面に設けられた各種のメモリカードスロット１８をユーザが利用可能な状態となる（図１参照）。一方、閉状態のときには、プリンタ本体１２の前面を覆う蓋として機能する（図２参照）。図５は、前面扉１４の外表面の説明図である。図６は、前面扉１４の外表面の拡大図であり、図６（ａ）は軸穴７６及び軸挿脱用穴９０の構成図、図６（ｂ）は図６（ａ）のＡ−Ａ断面図である。前面扉１４の外表面には、小径開口７６ａと、この小径開口７６ａの左上に形成された大径開口９０ａとが設けられ、両者は小径開口７６ａと略同じ幅の線状溝９４により連通されている。小径開口７６ａは、その奥に設けられた軸穴７６に繋がっており、軸穴７６の径に比べて小さな径となっている。一方、大径開口９０ａは、その奥に設けられた軸挿脱用穴９０に繋がっており、軸挿脱用穴９０の径と略同じになっている。また、軸穴７６と軸挿脱用穴９０とは略同じ径であり、両者はその径と略同じ幅の連通路９２によって繋がっている。軸挿脱用穴９０の底面は、連通路９２の底面と面一になっているが、軸穴７６の底面はそれよりも一段深く形成されている。この結果、軸穴７６の内周面は全周にわたって存在することになる。軸穴７６の内周面には、時計針で６時の位置に窪み部７８が設けられ、この窪み部７８にバネ８０（本発明の弾性部材に相当）を介してピン８２（本発明の凸部に相当）が配置されている。このピン８２は、バネ８０により半径内方向つまり軸穴７６の中心に向かって付勢されており、窪み部７８へ押し込まれる力が働いていないときには軸穴７６の内周面から軸穴７６の中心に向けて突出し、窪み部７８へ押し込まれる力が働いているときには窪み部７８に収まるように没入する。同様に、軸穴７６の内周面には、時計針で３時の位置にも窪み部８４が設けられ、この窪み部８４にバネ８６（本発明の弾性部材に相当）を介してピン８８（本発明の凸部に相当）が配置されている。このピン８８は、バネ８６により半径内方向つまり軸穴７６の中心に向かって付勢されており、窪み部８４へ押し込まれる力が働いていないときには軸穴７６の内周面から軸穴７６の中心に向けて突出し、窪み部８４へ押し込まれる力が働いているときには窪み部８４に収まるように没入する。
【００１９】
写真ホルダ６０は、図７に示す構成からなるものである。図７は、写真ホルダ６０の説明図であり、図７（ａ）が正面斜視図、図７（ｂ）が背面斜視図、図７（ｃ）が断面図である。この写真ホルダ６０は、四角形状のベース６２と、そのベース６２の表面の周囲に沿って設けられた写真枠６４と、ベース６２の背面の中央付近に設けられたホルダ軸６６（本発明の軸に相当）とを備えている。ベース６２は本実施形態では樹脂材料により形成されている。写真枠６４は、ベース６２と一体成形されていてもよいし、ベース６２と別体に成形したものをベース６２に装着してもよい。この写真枠６４には、アクリル樹脂又はガラスなどからなる透明板６４ａが嵌め込まれている。また、写真ホルダ６０の上部には、写真枠６４に写真を挿入するためのスリット状の挿入口７４が形成されている。ホルダ軸６６は、ベース６２の背面に垂設された軸体６８の先端に円筒状の軸頭７０が形成されたものであり、軸体６８の径に比べて軸頭７０の径の方が大きい。また、軸体６８の径は線状溝９４の幅より僅かに小さく、軸頭７０の径は軸挿脱用穴９０の径や連通路９２の幅、軸穴７６の径より僅かに小さい。軸頭７０は、外周面にピン８２が入り込むことが可能な凹部７２を備えている。この凹部７２は、写真ホルダ６０の長辺を縦にしたときの軸頭７０の外周面の６時の位置に設けられている。そして、ホルダ軸６６が前面扉１４の軸穴７６に挿入されると、凹部７２に軸穴７６の内周面に設けられ窪み部７８に挿入されたバネ８０により半径内方向に付勢されるピン８２又は窪み部８４に挿入されたバネ８６により半径内方向に付勢されるピン８８が入り込む。この結果、写真ホルダ６０が前面扉１４の外表面に位置決めされた状態で取り付けられる。ここで、ピン８２又はピン８８と凹部７２が本発明の位置決め機構を構成する。
【００２０】
メモリカードスロット１８には、メモリカードが差し込まれる。このメモリカードには、複数の画像ファイルが記憶されている。ユーザは、メニューボタン２４ｂを押下してディスプレイ２２にメインメニュー画面を呼び出した後、そのメインメニュー画面からメモリカードに記憶された複数の画像ファイルのうち所望の画像ファイルを選択し、印刷ボタン２４ｄを押下することにより、所望の画像が印刷された用紙Ｐを得ることができる。
【００２１】
次に、写真ホルダ６０の使用方法について、縦撮りの写真Ｔを入れる場合を例として説明する。図８は、写真ホルダ６０をフォトプリンタ１０の前面扉１４の外表面へ取り付ける様子を表した斜視図である。図９は、写真ホルダ６０を縦位置に合わせるまでの順序を示した説明図であり、図９（ａ）は写真ホルダ６０の位置を表す図、図９（ｂ）はホルダ軸６６の軸頭７０の位置を表す拡大図、図９（１）は写真ホルダ６０のホルダ軸６６を前面扉１４の外表面の軸挿脱用穴９０に入れた図、図９（２）は写真ホルダ６０のホルダ軸６６を前面扉１４の外表面の軸穴７６に挿入した図、図９（３）は写真ホルダ６０が縦位置の図である。なお、説明の便宜のため、図９（ａ）では写真ホルダ６０中の縦撮りの写真Ｔは表示せず、図９（ｂ）では写真ホルダ６０のベース６２、写真枠６４は表示しない。まず、ユーザは縦撮りの写真Ｔを写真ホルダ６０に入れ（図８（１）参照）、写真ホルダ６０のホルダ軸６６を前面扉１４の外表面の軸挿脱用穴９０に入れる（図８（２）、図９（１）参照）。次に、写真ホルダ６０を右下にスライドさせ、ホルダ軸６６の軸頭７０が軸穴７６の位置に達したら、写真ホルダ６０を前面扉１４側へ押し込み、一段深く形成された軸穴７６にホルダ軸６６の軸頭７０を挿入する（図９（２）参照）。そして、写真ホルダ６０を縦長に保持する縦位置まで回転させる。写真ホルダ６０が縦位置に達した場合、軸穴７６の内周面に設けられ窪み部７８に挿入されたバネ８０により半径内方向に付勢されるピン８２がホルダ軸６６の軸頭７０の凹部７２に入り込む（図９（３）参照）。そのため、ユーザはその感触を感じることができ、所定の位置に達したことがわかる。これで、写真ホルダ６０の前面扉１４への取り付けは完了する。位置決め後は凹部７２にバネ８０により付勢されるピン８２が入り込んでいるため、前面扉１４を繰り返し開閉しても位置ずれは発生しない。また、軸穴７６は一段深く形成されているので内周面が壁となって、凹部７２にバネ８０により付勢されるピン８２が入り込んだ軸頭７０を保持している。なお、写真ホルダ６０のホルダ軸６６を軸穴７６に挿入後に写真ホルダ６０を回転させて縦位置に合わせるため、挿入時の写真ホルダ６０の向きは問わず、どの向きでもよい。
【００２２】
次に、縦撮りの写真Ｔから横撮りの写真Ｙへ交換する場合について説明する。図１０は、写真ホルダ６０を縦位置から横位置に合わせるまでの順序を示した説明図であり、図１０（ａ）は写真ホルダ６０の位置を表す図、図１０（ｂ）はホルダ軸６６の軸頭７０の回転位置を表す拡大図、図１０（１）は写真ホルダ６０が縦位置の図、図１０（２）は写真ホルダ６０が回転途中の図、図１０（３）は写真ホルダ６０が横位置の図である。なお、説明の便宜のため、図１０（ｂ）では写真ホルダ６０のベース６２、写真枠６４は表示しない。まず、ユーザは写真ホルダ６０から縦撮りの写真Ｔを抜き取り、横撮りの写真Ｙを入れる。この場合、縦撮りの写真Ｔを飾っていたので、写真ホルダ６０は縦位置に位置しており、ホルダ軸６６の軸頭７０の凹部７２にバネ８０により付勢されるピン８２が入り込んでいる（図１０（１）参照）。それでも、そのまま写真ホルダ６０を回せば、バネ８０の付勢による力よりも写真ホルダ６０を回す力の方が大きく、ピン８２には窪み部７８へ押し込む力が働くため、ピン８２は窪み部７８に収まるように没入する（図１０（２）参照）。更に、写真ホルダ６０を回し続ければ、所望の位置である横位置に達し、軸穴７６の内周面に設けられ窪み部８４に挿入されたバネ８６により半径内方向に付勢されるピン８８がホルダ軸６６の軸頭７０の凹部７２に入り込む（図１０（３）参照）。そのため、ユーザはその感触を感じることができ、横位置に達したことがわかる。これで、縦撮りの写真Ｔから横撮りの写真Ｙへの交換は完了する。なお、最初に横撮りの写真Ｙを取り外した状態の写真ホルダ６０に入れ、前面扉１４に写真ホルダ６０を取り付ける場合も、上述の実施形態を組み合わせて行うことができる。
【００２３】
次に、縦位置に取り付けられた写真ホルダ６０を取り外す場合について説明する。写真ホルダ６０が縦位置に位置しているため、ホルダ軸６６の軸頭７０の凹部７２にバネ８０により付勢されるピン８２が入り込んでいる。この場合でも写真ホルダ６０を手前に引けば、バネ８０の付勢による力よりも写真ホルダ６０を手前に引く力の方が大きく、ピン８２には窪み部７８へ押し込む力が働くため、ピン８２は窪み部７８に収まるように没入する。あるいは、写真ホルダ６０を回すことによりピン８２を窪み部７８に収まるように没入させてから、手前に引いてもよい。そして、ホルダ軸６６の軸頭７０の端面が軸穴７６と連通路９２の底面との段差を乗り越えられる位置まで写真ホルダ６０を手前に引いた後、写真ホルダ６０を左上にスライドさせる。ホルダ軸６６の軸頭７０が軸挿脱用穴９０の位置に達したら、写真ホルダ６０をさらに手前に引くと、ホルダ軸６６は軸挿脱用穴９０から抜かれる。これで、写真ホルダ６０の前面扉１４からの取り外しは完了する。
【００２４】
以上詳述した本実施形態のフォトプリンタ１０によれば、プリンタ本体１２の前面に開閉自在に取り付けられ、開状態ではプリント機構５０で印刷された印刷媒体を受け取るトレイとして機能し、閉状態ではプリンタ本体１２の前面を覆う蓋として機能する前面扉１４の外表面に設けられた軸穴７６に写真ホルダ６０のホルダ軸６６が取り付けられている。こうすることにより、写真ホルダ６０を縦長に保持する縦位置又は横長に保持する横位置に回転させることが可能となる。したがって、ユーザは縦撮りの写真Ｔ又は横撮りの写真Ｙのいずれであっても飾ることができる。また、前面扉１４の外表面に気に入った写真を飾ることが可能となるため、プリンタ本体１２の前面の殺風景な印象を払拭し、インテリアとしての機能を持たせることができる。
【００２５】
また、写真ホルダ６０のホルダ軸６６は前面扉１４の外表面の軸穴７６に挿脱可能に取り付けられているため、ユーザが写真を飾らず、写真ホルダ６０を不要と感じたときに取り外すことができる。
【００２６】
更に、写真ホルダ６０を縦長に保持する縦位置及び横長に保持する横位置のいずれかに選択的に固定する位置決め機構を備えているので、ユーザは縦位置又は横位置の微調整をすることなく、縦撮りの写真Ｔ又は横撮りの写真Ｙを飾ることができる。
【００２７】
更にまた、位置決め機構は、写真ホルダ６０のホルダ軸６６の軸頭７０に設けられた凹部７２と、軸穴７６の内周面に設けられ凹部７２に入り込むことが可能なピン８２，８８とを、写真ホルダ６０が縦位置に位置しているときと横位置に位置しているときに互いに嵌り合うように備えているので、ユーザは写真ホルダ６０が縦位置に位置したときにピン８２が、横位置に位置したときにピン８８が、凹部７２に入り込む感触を感じることができる。
【００２８】
そしてまた、ピン８２，８８がバネ８０，８６の付勢により凹部７２に入り込んでいるので、より確実な固定が可能となり、前面扉１４を繰り返し開閉した際にも写真ホルダ６０の位置ずれを防ぐことができる。
【００２９】
なお、本発明は上述した実施形態に何ら限定されることはなく、本発明の技術的範囲に属する限り種々の態様で実施し得ることはいうまでもない。
【００３０】
例えば、上述した実施形態では、軸穴７６の底面は連通路９２の底面より一段深く形成されることにより、ホルダ軸６６の軸頭７０の凹部７２にバネ８０，８６により付勢されるピン８２，８８が入り込んでも、軸穴７６の内周面が壁となってホルダ軸６６の軸頭７０を保持するようにしているが、図１１に示す構成を採用してもよい。図１１は、連通路９２の内壁面に軸保持用突起９６を設けた説明図であり、図１１（ａ）は、軸穴７６及び軸挿脱用穴９０の構成図、図１１（ｂ）は図１１（ａ）のＡ−Ａ断面図である。なお、図１１以降の図面において上述した実施形態と同じ構成要素については、同じ符号を付し、その説明を省略する。図１１では、軸穴７６の底面を一段深く形成せず面一とし、連通路９２の内壁面になだらかな軸保持用突起９６を設けることで、ホルダ軸６６の軸頭７０を保持する。この軸保持用突起９６はなだらかな形状なので、写真ホルダ６０をスライドさせるときに力を加えれば乗り越えられるものである。この場合も上述した実施形態と同様の効果が得られる。
【００３１】
上述した実施形態では、軸穴７６の内周面に縦位置用のピン８２と横位置用ピン８８をそれぞれ１つ設けたが、図１２に示す構成を採用してもよい。図１２は、軸穴７６の内周面に縦位置用のピン８２と横位置用のピン８８をそれぞれ２つ設けた説明図であり、図１２（ａ）は、軸穴７６及び軸挿脱用穴９０の構成図、図１２（ｂ）は図１２（ａ）のＣ−Ｃ断面図である。図１２では、軸穴７６の内周面に、６時と１２時の位置に縦位置用のピン８２が窪み部７８からバネ８０により突出可能に設けられ、３時と９時の位置に横位置用のピン８８が窪み部８４からバネ８６により突出可能に設けられている。こうすれば、写真ホルダ６０を時計回りでも反時計回りでも９０°回すごとに縦位置と横位置とが切り替わるため、操作性に優れている。このとき、ホルダ軸６６に、凹部７２を軸頭７０の外周面の３時、６時、９時、１２時の位置に計４つ設けてもよい。こうすれば、４つの凹部７２にそれぞれピン８２，８８が入り込みホルダ軸６６の軸頭７０を保持するので、上述した実施形態よりもホルダ軸６６の軸頭７０を保持する力を向上させることができる。
【００３２】
上述した実施形態では、凸部としてバネ８０，８６により付勢されるピン８２，８８を用いたが、図１３に示す構成を採用してもよい。図１３は、軸穴７６に位置決め用突起９８を設けた説明図であり、図１３（ａ）は、軸穴７６及び軸挿脱用穴９０の構成図、図１３（ｂ）は図１３（ａ）のＡ−Ａ断面図である。図１３では、バネにより付勢されることなく、内周面から軸穴７６の中心に向けて突出する位置決め用突起９８が設けられている。この位置決め用突起９８は弾力を有するような、ゴム材料や樹脂材料などにより形成されている。そのため、ホルダ軸６６の軸頭７０の凹部７２以外の場所に面しているときは、軸頭７０による圧縮力を受け軸頭７０と軸穴７６との間に収まり、凹部７２に面しているときは凹部７２に嵌り込み、ホルダ軸６６の軸頭７０を保持する。
【００３３】
上述した実施形態では、軸挿脱用穴９０、連通路９２を設け、写真ホルダ６０の取り付け、取り外しの際に写真ホルダ６０をスライドさせるものとしたが、図１４に示す構成を採用してもよい。図１４は、軸挿脱用穴９０及び連通路９２を設けない場合の軸穴７６の説明図であり、図１４（ａ）は、軸穴７６の構成図、図１４（ｂ）は図１４（ａ）のＤ−Ｄ断面図である。図１４では、軸挿脱用穴９０、連通路９２を設けず、小径開口７６ａの大きさを軸穴７６と略同じにし、直接軸穴７６にホルダ軸６６を挿脱する。この場合、バネ８０，８６により付勢されるピン８２，８８が位置決めとしての役割だけでなく、脱落防止としての役割を担う。そのため、ホルダ軸６６の軸頭７０を保持する力を向上させるべく、軸穴７６の内周面及びホルダ軸６６ともに位置決め機構を４つ設けるものとしてもよい。
【００３４】
上述した実施形態の写真ホルダ６０に代えて、図１５及び図１６に示す写真ホルダ１６０を採用してもよい。図１５は写真ホルダ１６０の説明図で、（ａ）は裏面図、（ｂ）はＥ−Ｅ断面図である。図１６は写真ホルダ１６０の取り付け工程を表す説明図で、（ａ）は取り付け中を表し、（ｂ）は取り付け後を表す。この写真ホルダ１６０は、四角形状のベース１６２と、そのベース１６２の表面の周囲に沿って設けられた写真枠１６４と、ベース１６２の背面の中央付近に設けられたホルダ軸１６６とを備えている。ベース１６２及び写真枠１６４は、上述した実施形態のベース６２及び写真枠６４と同じであるためその説明を省略する。ホルダ軸１６６は、ベース１６２の背面に垂設された軸体１６８の先端に円筒状の軸頭１７０が形成されたものである。軸体１６８の断面は、円形を直径方向と平行で円の中心から等距離離れた２直線で切り取った長円形であり、２直線の距離は線状溝９４の幅よりわずかに小さく、円の径は小径開口７６ａの径よりわずかに小さい。また、軸挿脱用穴９０と連通路９２と軸穴７６の底面は、面一になっている。この写真ホルダ１６０を取り付けるには、まず、写真ホルダ１６０の軸頭１７０を大径開口９０ａを介して軸挿脱用穴９０に挿入し、軸体１６８の長円形の断面の直線部分を線状溝９４に沿わせながらスライドさせる（図１６（ａ）参照）。そして、軸頭１７０が軸穴７６に達したあと、写真ホルダ１６０が縦位置になるように回転させると、軸穴７６の窪み部７８に挿入されたバネ８０により半径内方向に付勢されるピン８２が軸頭１７０の凹部１７２に入り込む（図１６（ｂ）参照）。このとき、軸体１６８のうち凹部１７２と反対側の円弧状の側面が小径開口７６ａの開口縁に押し当てられるため、容易に位置ずれは発生しない。一方、写真ホルダ１６０が横位置になるように回転させると、軸穴７６の窪み部８４に挿入されたバネ８６により半径内方向に付勢されるピン８８が軸頭１７０の凹部１７２に入り込む。このとき、軸体１６８のうち凹部１７２と反対側の円弧状の側面が小径開口７６ａの開口縁に押し当てられるため、容易に位置ずれは発生しない。この写真ホルダ１６０を採用した場合でも、上述した実施形態とほぼ同様の効果が得られる。更に、軸挿脱用穴９０と連通路９２と軸穴７６の底面が面一なので、軸穴７６と軸頭７０の高さを略同じにすることができ、上述した実施形態よりもホルダ軸６６の軸頭７０の前後方向の遊びが少なくなる。その結果、ホルダ軸６６の軸頭７０をより確実に保持することができる。
【００３５】
上述した実施形態では、ピン８２，８８を付勢するのにバネ８０，８６を用いたが、弾性部材としてゴムやダンパ等を用いてもよい。
【００３６】
上述した実施形態では、軸穴７６に凸部としてピン８２，８８を設けホルダ軸６６の軸頭７０に凹部７２を設けたが、軸穴７６に凹部を設けホルダ軸６６に凸部を設けてもよい。
【００３７】
上述した実施形態では、インクジェット方式のフォトプリンタ１０を例示したが、その他に熱転写方式や感熱式、ドットインパクト方式、電子写真方式などのプリンタに本発明を適用してもよい。
【図面の簡単な説明】
【００３８】
【図１】フォトプリンタ１０の斜視図。
【図２】フォトプリンタ１０の斜視図。
【図３】操作パネル２０の説明図。
【図４】プリント機構５０の説明図。
【図５】前面扉１４の外表面の説明図。
【図６】前面扉１４の外表面の拡大図。
【図７】写真ホルダ６０の説明図。
【図８】写真ホルダ６０の取り付けの説明図。
【図９】写真ホルダ６０の取り付けの拡大図。
【図１０】写真ホルダ６０の縦位置から横位置への回転の説明図。
【図１１】軸穴７６の別例の説明図。
【図１２】軸穴７６の別例の説明図。
【図１３】軸穴７６の別例の説明図。
【図１４】軸穴７６の別例の説明図。
【図１５】写真ホルダ１６０の説明図。
【図１６】写真ホルダ６０の取り付けの説明図。
【符号の説明】
【００３９】
１０  フォトプリンタ、１２  プリンタ本体、１４  前面扉、１８  メモリカードスロット、２０  操作パネル、２２  ディスプレイ、２４  ボタン群、２４ａ  電源ボタン、２４ｂ  メニューボタン、２４ｃ  キャンセルボタン、２４ｄ  印刷ボタン、３０  カバー、３２  窓、５０  プリント機構、５１  タイミングベルト、５２  ガイド、５３  キャリッジ、５４  インクカートリッジ、５５  印刷ヘッド、５６  搬送ローラ、５７  紙端検出センサ、５８  給紙口、６０  写真ホルダ、６２  ベース、６４  写真枠、６４ａ  透明板、６６  ホルダ軸、６８  軸体、７０  軸頭、７２  凹部、７４  挿入口、７６  軸穴、７６ａ  小径開口、７８  窪み部（縦位置用）、８０  バネ、８２  ピン、８４  窪み部（横位置用）、８６  バネ、８８  ピン、９０  軸挿脱用穴、９０ａ  大径開口、９２  連通路、９４  線状溝、９６  軸保持用突起、９８  位置決め用突起、１６０  写真ホルダ、１６２  ベース、１６４  写真枠、１６６  ホルダ軸、１６８  軸体、１７０  軸頭、１７２  凹部、Ｐ  用紙、Ｔ  縦撮りの写真、Ｙ  横撮りの写真。
【図１】
2008173791.tif 000003
【図４】
2008173791.tif 000004
【図５】
2008173791.tif 000005
【図６】
2008173791.tif 000006
【図７】
2008173791.tif 000007
【図８】
2008173791.tif 000008
【図９】
2008173791.tif 000009
【図１１】
2008173791.tif 000010
【図１２】
2008173791.tif 000011
【図１３】
2008173791.tif 000012
【図１４】
2008173791.tif 000013
【図１５】
2008173791.tif 000014
【図１６】
2008173791.tif 000015
【図２】
2008173791.tif 000016
【図３】
2008173791.tif 000017
【図１０】
2008173791.tif 000018